(57)【要約】【課題】多くの人が日常携帯する携帯通信装置を利用してできるだけコストを掛けず、偶然に発生した災害によって付近にいた人が行方不明になったとき、携帯通信装置を所持する遭難者の位置を速やかに特定すること。【解決手段】切り換え分析部１２５は、基地局１０４の通信圏外にあって通信不能時間を測定する圏外時間測定部１３２と、基地局１０４の通信圏内にあるとき基地局通信部１１２における所定時間内の着信回数をカウントする着信回数カウント部１３３とを備え、圏外時間測定部１３２が測定した通信不能時間が圏外時間閾値Ｔ１を越えたとき、又は着信回数カウント部１３３が着信チェック時間Ｔ２の間にカウントした着信回数が着信回数閾値Ｃ以上になったとき、切り換え制御部１２６に基地局通信モードから近距離通信モードへ切り換えるよう要求し、切り換え部１２７によってアンテナ１１１を近距離通信部１１３に切り換えて接続する。【選択図】図３
2007104506.tif 000002
【特許請求の範囲】
【請求項１】
基地局を介して無線通信を行う基地局通信手段と、
直接、付近にある他の無線通信機器と無線通信を行う近距離通信手段と、
アンテナを前記基地局通信手段又は前記近距離通信手段のいずれかに接続する接続手段と、
前記基地局通信手段の通信状況を分析する分析手段と、
前記分析手段に従って前記接続手段を前記基地局通信手段から前記近距離通信手段に切り換えて接続する切り換え手段と、
を具備することを特徴とする携帯通信装置。
【請求項２】
前記近距離通信手段は救助用電波の発信手段を備え、前記分析手段は前記基地局通信手段において無線通信が行われ、所定時間内に所定回数以上の着信があったとき、前記切り換え手段によって前記基地局通信手段から前記近距離通信手段の前記発信手段に前記接続手段を切り換えて接続し、前記近距離通信手段から救助用電波を発信することを特徴とする請求項１に記載の携帯通信装置。
【請求項３】
前記近距離通信手段は救助用電波の発信手段を備え、前記分析手段は前記基地局通信手段が前記基地局から所定時間アクセスを受けない場合、前記切り換え手段によって前記基地局通信手段から前記近距離通信手段の前記発信手段に前記接続手段を切り換えて接続し、前記近距離通信手段から救助用電波を発信することを特徴とする請求項１又は請求項２に記載の携帯通信装置。
【請求項４】
前記近距離通信手段は救助用電波を受信する受信手段と、前記救助用電波の電界強度を測定する測定手段と、前記救助用電波の指向性及び前記電界強度を表示する表示手段と、を備えることを特徴とする請求項１から請求項３のいずれかに記載の携帯通信装置。
【請求項５】
前記切り換え手段は前記基地局通信手段から前記近距離通信手段に切り換えたことを通知する通知手段と、前記通知手段によって前記基地局通信手段から前記近距離通信手段に切り換えることが通知されたとき、前記基地局通信手段から前記近距離通信手段への切り換えを解除する入力手段と、を備えることを特徴とする請求項１から請求項３のいずれかに記載の携帯通信装置。
【発明の詳細な説明】
【技術分野】
【０００１】
本発明は、基地局を介して無線通信を行うと共に近距離にある他の携帯通信装置と直接電波の送受信を行う機能を備えた携帯通信装置に関し、特に、予期せぬ災害に遭遇したとき、遭難者の所持する携帯通信装置から救助用電波を発信させ、近距離にある他の携帯通信装置でそれを受信して遭難者の位置を特定する携帯通信装置に関する。
【背景技術】
【０００２】
従来、雪崩の発生する恐れのある冬山に入る登山者は、図６に示すように、遭難を想定してビーコンを携行し（ＳＴ４０１、ＳＴ５０１）、危険な場所を通過するとき、ビーコンのスイッチを入れて救助用の電波を発信し（ＳＴ４０２、ＳＴ５０２）、雪崩に巻き込まれて登山者Ａの所在が不明になって遭難した場合（ＳＴ４０３）、他のメンバーが持つビーコンを電波が受信できる状態に切り換え（ＳＴ５０３）、遭難者の所持するビーコンが発信する電波を受信して（ＳＴ５０４）、受信した電波の指向性及び電界強度を測定し（ＳＴ５０５）、遭難者を捜索する（ＳＴ５０６）。遭難者の捜索には、このようにビーコンを用いる位置探索システムと（特許文献１）、多くの人が持ち歩く携帯電話機などを用いる移動通信方式がある（特許文献２）。
【０００３】
特許文献１の位置探査システムは、図７に示すように、遭難者のベルト１１に固定された被探査局１２と、救助隊が持つ探査局１３の双方に電波を送受信する機能を備え、探査局１３が送信した探査電波１４を被探査局１２が受信して減衰率より距離を算出して応答電波１５を探査局１３に向けて返信し、探査局１３の２本のアンテナ１６、１７に到達した応答電波１５の位相差により被探査局１２の方位を決定することで、遠い場所から遭難者の位置を正確に特定することができる。
【０００４】
特許文献２の移動通信方式は、図８に示すように、放射状に配した複数の指向性セクタ２１からなるアンテナ２２を備えた可搬式の基地局２３と、エマージェンシーモードに設定するモード切り換え機能２４及びエマージェンシーモードに設定された状態で基地局２３の通信圏内へ入ったときにアラーム音を発生する鳴動制御部２５、及び基地局２３の通信圏内へ入ったときに特定連絡先電話番号に自動的に発信する自動発信機能２６又は着信があったときに自動的に応答する自動着信機能２７を設けた携帯電話機２８とを備え、基地局２３からモード設定信号を送信するか、又は遭難者が自ら携帯電話機２８をエマージェンシーモードに設定して基地局２３と無線通信を行わせて、アンテナ２２の指向性セクタ２１によって携帯電話機２８の存在するエリアを検出する。
【特許文献１】特開２００２−２７７５３９号公報
【特許文献２】特開２００１−２１８２７１号公報
【発明の開示】
【発明が解決しようとする課題】
【０００５】
しかしながら、特許文献１の探査システムは、雪崩のようにある程度災害の発生が予測できる状況では有効なシステムであるが、地震や火災などのように予期できない災害に対応することはできない。
【０００６】
一方、特許文献２の移動通信方式は、予測不可能な一般的な災害に備えることはできるが、主に通話によって遭難者の位置を確認するためのものであるため、携帯電話機２８が基地局２３の通信圏内に入っていて遭難者に意識があれば遭難者の付近の様子から位置を知ることができるが、遭難者に意識がない場合、又は雪崩などに埋もれて遭難者自身どこにいるかわからない場合などは、捜索に基地局２３との無線通信を用いるため、アンテナ２２の指向性セクタ２１によって遭難者のいる方角を知ることはできるが、１ｋｍから１０ｋｍにもなる基地局２３の通信範囲のどこに遭難者がいるかを知ることはできない。
【０００７】
また、携帯電話機２８が基地局２３の通信圏内に入っていなければ、可搬式の基地局２３を移動させて基地局２３側で携帯電話機２８に近づく構成であるため、準備に時間が掛かって捜索開始が遅れる。さらに、このような移動通信システムを構築するためには、基地局２３も含めた機能追加が必要となるため、大きなコストが掛かるという問題がある。
【０００８】
本発明は、かかる点に鑑みてなされたものであり、多くの人が日常携帯する携帯通信装置を利用してできるだけコストを掛けず、偶然に発生した災害によって付近にいた人が行方不明になったとき、携帯通信装置を所持する遭難者の位置を速やかに特定することができる携帯通信装置を提供することを目的とする。
【課題を解決するための手段】
【０００９】
本発明の携帯通信装置は、基地局を介して無線通信を行う基地局通信手段と、直接、付近にある他の無線通信機器と無線通信を行う近距離通信手段と、アンテナを前記基地局通信手段又は前記近距離通信手段のいずれかに接続する接続手段と、前記基地局通信手段の通信状況を分析する分析手段と、前記分析手段に従って前記接続手段を前記基地局通信手段から前記近距離通信手段に切り換えて接続する切り換え手段と、を具備する。
【発明の効果】
【００１０】
本発明によれば、多くの人が日常携帯する携帯通信装置を利用してできるだけコストを掛けず、偶然に発生した災害によって付近にいた人が行方不明になったとき、携帯通信装置を所持する遭難者の位置を速やかに特定することができるという効果がある。
【発明を実施するための最良の形態】
【００１１】
（一実施の形態）
以下、本発明の携帯通信装置である携帯電話機を用いた実施の形態について図面を参照して詳細に説明する。図１は、本発明の一実施の形態に係る携帯電話機を用いた捜索システムの全体構成を示す図である。図１において、捜索システム１０１は、本発明の携帯端末装置であり災害に遭遇する携帯電話機１０２と、災害に遭遇した携帯電話機１０２を捜索する携帯電話機１０３と、携帯電話機１０２及び携帯電話機１０３と無線通信を行う基地局１０４と、基地局１０４が接続された交換局１０５と、交換局１０５と接続された公衆回線網１０６とを備える。
【００１２】
公衆回線網１０６には、他に、交換局１０５に接続された固定電話機１０７、及び交換局１０５と基地局１０４を介して携帯電話機１０８などが接続され、携帯電話機１０２及び携帯電話機１０３が基地局１０４の通信圏内にあるとき、基地局１０４を介して無線通信を行う基地局通信モードによって固定電話機１０７や携帯電話機１０８、又は携帯電話機１０２及び携帯電話機１０３どうし会話やメールなどの無線通信を行うことができるし、近距離無線通信モードによって携帯電話機１０２と携帯電話機１０３が直接無線通信を行うこともできる。
【００１３】
尚、図１においては、携帯電話機１０２と携帯電話機１０３が同じ基地局１０４の通信圏内にあってそれぞれが基地局１０４を介して無線通信を行っているが、異なる基地局１０４の通信圏内にあってそれぞれが異なる基地局１０４を介して無線通信を行っていてもよいし、基地局１０４の通信圏外にあって基地局１０４を介した無線通信が行えない状態にあってもよいが、携帯電話機１０２と携帯電話機１０３は、救助用電波の到達する３００ｍ位までの近距離になければならない。
【００１４】
図２は、本発明の一実施の形態に係る携帯電話機の構成を示す機能ブロック図である。図２に示すように、携帯電話機１０２及び携帯電話機１０３は、アンテナ１１１を介して基地局１０４と無線通信を行う基地局通信部１１２と、アンテナ１１１を介して救助用電波の送受信を行う近距離通信部１１３と、アンテナ１１１を基地局通信部１１２又は近距離通信部１１３のいずれかに接続し、携帯電話機１０２及び携帯電話機１０３の通信モードを基地局通信モード又は近距離無線通信モードいずれかにするモード切り換え部１１４と、基地局通信モードから近距離無線通信モードに切り換わることを所持者に通知する通知部１１５と、相手先の電話番号、通信モードの設定、及びモード切り換え解除などを入力する操作入力部１１６を制御部１１７に接続して備える。
【００１５】
近距離通信部１１３は、救助用電波を発信する電波発信部１２１と、電波発信部１２１が発信した電波を送信する送信部１２２と、救助用電波を受信する受信部１２３と、受信部１２３が受信した救助用電波の指向性及び電界強度を測定する電界測定部１２４とを備える。
【００１６】
遭難した携帯電話機１０２は、モード切り換え部１１４によってアンテナ１１１を近距離通信部１１３の送信部１２２に切り換えて接続し、電波発信部１２１から発信された救助用電波を近距離通信部１１３の送信部１２２から発信する。
【００１７】
携帯電話機１０２を捜索する携帯電話機１０３の所持者は、操作入力部１１６から通信モード設定の入力を行って携帯電話機１０３を近距離通信モードに設定し、携帯電話機１０２の発信する救助用電波を近距離通信部１１３の受信部１２３によって受信し、電界測定部１２４によって受信した電波の指向性及び電界強度を測定して携帯電話機１０２の位置を特定する。
【００１８】
モード切り換え部１１４は、基地局通信部１１２の通信状況を分析して基地局通信モードを近距離通信モードに切り換えるよう要求する切り換え分析部１２５と、操作入力部１１６から入力された通信モード又は切り換え分析部１２５の分析結果に従って切り換え部１２７を制御する切り換え制御部１２６と、切り換え制御部１２６に従ってアンテナ１１１を基地局通信部１１２又は近距離通信部１１３のいずれかに接続する切り換え部１２７とを備える。
【００１９】
通知部１１５は、メッセージなどを表示する表示部１２８と、警告音等の音声を出力するスピーカ１２９と、振動を発する駆動部１３０とを備え、切り換え分析部１２５の分析結果に従って通信モードが基地局通信モードから近距離通信モードに切り換わることをメッセージ、警告音、及び振動によって所持者に通知する。
【００２０】
図３は、本発明の一実施の形態に係る携帯電話機の切り換え分析部の構成を示すブロック図である。切り換え分析部１２５は、基地局通信部１１２の通信状況によって基地局１０４の通信圏内にあるか通信圏外にあるかを判定する通信圏判定部１３１と、基地局１０４の通信圏外にあって通信不能となる時間を測定する圏外時間測定部１３２と、基地局１０４の通信圏内にあるとき基地局通信部１１２における所定時間内の着信回数をカウントする着信回数カウント部１３３と、通信不能時間及び着信回数をカウントする所定時間などを測定するタイマ部１３４と、タイムカウンタｔ、着信カウンタｉ、圏外時間閾値Ｔ１、着信チェック時間Ｔ２、及び着信回数閾値Ｃなどを記憶するメモリ部１３５とを備える。
【００２１】
切り換え分析部１２５は、圏外時間測定部１３２が測定した通信不能時間が圏外時間閾値Ｔ１を越えたとき、又は着信回数カウント部１３３が着信チェック時間Ｔ２の間にカウントした着信回数が着信回数閾値Ｃ以上になったとき、分析結果として通知部１１５に近距離通信モードへの切り換えることを通知し、切り換え制御部１２６に基地局通信モードから近距離通信モードへ切り換えるよう要求する。
【００２２】
以上のように構成された携帯電話機を用いた捜索システム１０１の動作について説明する。図４及び図５は、本発明の一実施の形態に係る携帯電話機を用いた捜索システムの動作を説明するフロー図である。図４及び図５において、携帯電話機１０２及び携帯電話機１０３が行う同じ処理及び動作については同じ番号が付けられる。
【００２３】
図４は、携帯電話機１０２が基地局１０４の通信圏外にあるとき災害が発生して携帯電話機１０２の所持者の所在が不明となり、携帯電話機１０２の所持者が遭難したと考えられる場合、携帯電話機１０２の動作と携帯電話機１０２の所持者を捜索する携帯電話機１０３の所持者の動作を示す。
【００２４】
通常、携帯電話機１０２及び携帯電話機１０３は、アンテナ１１１が切り換え部１２７によって基地局通信部１１２に接続される基地局通信モードに設定され、それぞれが基地局１０４と無線通信を行い、交換局１０５及び公衆回線網１０６を介して固定電話機１０７や携帯電話機１０８、又は携帯電話機１０２及び携帯電話機１０３どうしが接続され、互いに連絡を取ることができる。
【００２５】
しかし、携帯電話機１０２が基地局１０４の通信圏外にあるとき、又は携帯電話機１０２が基地局１０４の通信圏内にあっても、基地局１０４又は交換機１０５などが災害によって壊れてしまうと、救助が必要なときに誰にも連絡を取ることができない。
【００２６】
図４に示すように、切り換え分析部１２５は、タイムカウンタｔに「０」を設定し（ＳＴ１０１）、通信圏判定部１３１によって基地局通信部１１２をチェックして基地局１０４と無線通信を行うことができるかを判定する。
【００２７】
基地局１０４の通信圏外にあって基地局通信モードによる通信ができない状態にあって（ＳＴ１０２；ＹＥＳ）、タイムカウンタｔが「０」であれば（ＳＴ１０３；ＹＥＳ）、圏外時間測定部１３２は、タイマ部１３４をスタートして通信不能時間をタイムカウンタｔによって測定する（ＳＴ１０４）。
【００２８】
通信不能時間を測定するタイムカウンタｔが圏外時間閾値Ｔ１を越えていなければ（ＳＴ１０５；ＮＯ）、ＳＴ１０２に戻って、基地局１０４の通信圏内に入ったかどうかをチェックし、通信不能時間をタイムカウンタｔによってカウントする（ＳＴ１０２；ＹＥＳ、ＳＴ１０３；ＮＯ、ＳＴ１０６）。
【００２９】
ＳＴ１０５において、通信不能時間を測定するタイムカウンタｔが圏外時間閾値Ｔ１を越えれば（ＳＴ１０５；ＹＥＳ）、切り換え分析部１２５は、通知部１１５に基地局通信モードから近距離通信モードに切り換えることを通知する（ＳＴ１０７）。
【００３０】
携帯電話機１０２の所持者が操作入力部１１６からモード切り換え解除を入力しなければ（ＳＴ１０８；ＮＯ）、携帯電話機１０２の所持者が遭難して救助を待っている、携帯電話機１０２の所持者の意識がない、又は意識があってもけがなどによって動けないため入力が行えない状態にあると判断し、通信モードを基地局通信モードから近距離通信モードへ切り換えるよう切り換え制御部１２６に要求する。
【００３１】
ＳＴ１０７において、通知部１１５は基地局通信モードから近距離通信モードに切り換わることをメッセージで表示部１２８に表示するとともに、スピーカ１２９から警告音を発し、駆動部１３０を振動させて携帯電話機１０２の所持者に通知する。
【００３２】
切り換え制御部１２６は、切り換え分析部１２５の分析結果に従い、切り換え部１２７によってアンテナ１１１を基地局通信部１１２から近距離通信部１１３の送信部１２２に切り換えて接続し（ＳＴ１０９）、電波発信部１２１から救助用電波を発信させ（ＳＴ１１０）、付近にあって捜索を行っている携帯電話機１０３に携帯電話機１０２の位置を知らせて救助を待つ（ＳＴ１１１）。
【００３３】
携帯電話機１０２の付近にいた携帯電話機１０３の所有者は、携帯電話機１０２の所持者の遭難に気がつき、携帯電話機１０２を捜索するため、操作入力部１１６から救助用電波を受信する近距離通話モードに切り換える入力を行う（ＳＴ２０５）。
【００３４】
携帯電話機１０３の切り換え制御部１２６は、操作入力部１１６の入力に従ってアンテナ１１１を切り換え部１２７によって基地局通信部１１２から近距離通信部１１３の受信部１２３に切り換えて接続させ（ＳＴ２０６）、携帯電話機１０２が発信する救助用電波を受信部１２３に受信して電波の指向性及び電界強度を電界測定部１２４によって測定し（ＳＴ２０７）、表示部１２８に電波の指向性及び電界強度を表示する（ＳＴ２０８）。
【００３５】
携帯電話機１０３の所持者は、表示部１２８に表示された救助用電波の指向性、及び電界強度から携帯電話機１０２の位置を特定してその所持者を捜索する（ＳＴ２０９）。
【００３６】
ＳＴ１０８において、携帯電話１０２の所持者が近距離通信モードを希望しないときは、操作入力部１１６からモード切り換え解除を入力すれば（ＳＴ１０８；ＹＥＳ）、近距離通信モードへの切り換えを解除し、ＳＴ１０１に戻って、タイムカウンタｔに「０」を設定して基地局１０４の通信圏内に入ったかどうかをチェックしながら、タイマ部１３４を再スタートさせ、通信不能時間を測定する（ＳＴ１０２；ＹＥＳ、ＳＴ１０３；ＹＥＳ、ＳＴ１０４、ＳＴ１０５；ＮＯ）。
【００３７】
一方、ＳＴ１０２において、携帯電話機１０２が基地局１０４の通信圏内にあって無線通信が行えるような状態であれば（ＳＴ１０２；ＮＯ）、携帯電話機１０２の所持者は、災害が発生したとき、基地局１０４を介して電話やメールなどによって救助を求めることができるが、携帯電話機１０２の所持者の意識がない、又は意識があってもけがなどによって動けないため操作入力部１１６から入力が行えないような状態であれば、救助を求めることができない。
【００３８】
そこで、携帯電話機１０３の所持者は、携帯電話機１０２に対して１度だけ呼び出し音を聞いて電話を切断するワン切りなどによって、例えば、３００秒間に立て続けに５回以上の着信を行い、携帯電話機１０２を基地局通信モードから近距離通信モードに強制的に切り換えて救助用電波を発信させ、救助用電波によって携帯電話機１０２の位置を特定して携帯電話機１０２の所持者を救助する。
【００３９】
図５は、携帯電話機１０２が基地局１０４の通信圏内にあるとき災害が発生して携帯電話機１０２の所持者の所在が不明となり、携帯電話機１０２の所持者が遭難したと考えられる場合、携帯電話機１０２の動作と携帯電話機１０２の所持者を捜索する携帯電話機１０３の所持者の動作を示す。
【００４０】
図５に示すように、災害が発生して携帯電話機１０２の所持者の所在が不明になって遭難したと考えられる場合、携帯電話機１０３の所持者は、携帯電話機１０２に電話を掛けて携帯電話機１０２の所持者を呼び出す（ＳＴ２０１）。
【００４１】
携帯電話機１０２の着信回数カウント部１３３は、着信カウンタｉに「０」を設定して（ＳＴ１２１）、着信があったとき（ＳＴ１２２）、着信カウンタｉが「０」であれば（ＳＴ１２３）、タイムカウンタｔに「０」を設定してタイマ部１３４をスタートし、タイムカウンタｔによって着信チェック時間Ｔ２を測定する（ＳＴ１２４）。
【００４２】
携帯電話機１０３の呼び出しに対して、携帯電話機１０２の所持者が応答できるようであれば（ＳＴ１２５：ＹＥＳ）、携帯電話機１０２の所持者は、呼び出しに応答して（ＳＴ１２６）、会話によって自分の居場所や周囲の状況などを携帯電話機１０３の所持者に連絡し（ＳＴ１２７）、電話を切断して救助を待つが（ＳＴ１２８）、自分で自分の居場所が分からない、又は救助が速やかに実行されないようなとき、操作入力部１１６から通信モードを近距離通信モードに切り換える入力を行う（ＳＴ１２９）。
【００４３】
切り換え制御部１２６は、操作入力部１１６の入力に従ってアンテナ１１１を切り換え部１２７によって基地局通信部１１２から近距離通信部１１３の送信部１２２に切り換えて接続し（ＳＴ１０９）、電波発信部１２１から救助用電波を発信させ（ＳＴ１１０）、付近にあって捜索を行っている携帯電話機１０３に携帯電話機１０２の位置を知らせて救助を待つ（ＳＴ１１１）。
【００４４】
携帯電話機１０３の所持者は、遭難したと考えられる携帯電話機１０２の所持者から応答があれば（ＳＴ２０２：ＹＥＳ）、会話によって（ＳＴ２０３）、携帯電話機１０２の所持者の居場所を確認して捜索を行うが、会話によって携帯電話機１０２の在る位置が特定できないときは、携帯電話機１０２の所持者に携帯電話機１０２を近距離通信モードに設定して救助を待つように連絡して電話を切断し (ＳＴ２０４)、携帯電話機１０２を捜索するため、操作入力部１１６から救助用電波を受信する近距離通話モードに切り換える入力を行う（ＳＴ２０５）。
【００４５】
携帯電話機１０３の切り換え制御部１２６は、操作入力部１１６の入力に従ってアンテナ１１１を切り換え部１２７によって基地局通信部１１２から近距離通信部１１３の受信部１２３に切り換えて接続させ（ＳＴ２０６）、携帯電話機１０２が発信する救助用電波を受信部１２３に受信して電波の指向性及び電界強度を電界測定部１２４によって測定し（ＳＴ２０７）、表示部１２８に電波の指向性及び電界強度を表示する（ＳＴ２０８）。
【００４６】
携帯電話機１０３の所持者は、表示部１２８に表示された救助用電波の指向性、及び電界強度から携帯電話機１０２の位置を特定してその所持者を捜索する（ＳＴ２０９）。
【００４７】
携帯電話機１０３の所持者は、所在が不明になって遭難したと考えられる携帯電話機１０２の所持者から応答が無ければ（ＳＴ２０２：ＮＯ）、携帯電話機１０２の所持者の意識がない、又は意識があってもけがなどによって動けないため応答できない状態にあると判断し、着信チェック時間Ｔ２の間に着信回数閾値Ｃ回以上携帯電話機１０２に繰り返して電話を掛ける（ＳＴ２１０；ＮＯ、ＳＴ２０２；ＮＯ、ＳＴ２１０；ＹＥＳ）。
【００４８】
ＳＴ１２５において携帯電話機１０２の所持者が応答しなければ（ＳＴ１２５；ＮＯ）切り換え分析部１２６の着信回数カウント部１３３は、着信カウンタｉに「１」を加算し（ＳＴ１３０）、タイムカウンタｔが着信チェック時間Ｔ２になるまでの間に（ＳＴ１３１；ＹＥＳ）、着信カウンタｉが着信回数閾値Ｃ以上にならなければ（ＳＴ１３２；ＮＯ）、ＳＴ１２２に戻って、着信カウンタｉによって着信回数をカウントする（ＳＴ１２３；ＮＯ、ＳＴ１３６、ＳＴ１２５；ＮＯ、ＳＴ１３０、ＳＴ１３１；ＹＥＳ、ＳＴ１３２；ＮＯ）。
【００４９】
ＳＴ１３１において、タイムカウンタｔが着信チェック時間Ｔ２になるまでの間に（ＳＴ１３１；ＹＥＳ）、着信カウンタｉが着信回数閾値Ｃ以上になれば（ＳＴ１３２；ＹＥＳ）、切り換え分析部１２５は、通知部１１５に基地局通信モードから近距離通信モードに切り換えることを通知する（ＳＴ１０７）。
【００５０】
携帯電話機１０２の所持者が操作入力部１１６からモード切り換え解除を入力しなければ（ＳＴ１０８；ＮＯ）、携帯電話機１０２の所持者が遭難して救助を待っている、携帯電話機１０２の所持者の意識がない、又は意識があってもけがなどによって動けないため入力が行えない状態にあると判断し、通信モードを基地局通信モードから近距離通信モードへ切り換えるよう切り換え制御部１２６に要求する。
【００５１】
ＳＴ１０７において、通知部１１５は基地局通信モードから近距離通信モードに切り換わることをメッセージで表示部１２８に表示するとともに、スピーカ１２９から警告音を発し、駆動部１３０を振動させて携帯電話機１０２の所持者に通知する。
【００５２】
切り換え制御部１２６は、切り換え分析部１２５の分析結果に従い、切り換え部１２７によってアンテナ１１１を基地局通信部１１２から近距離通信部１１３の送信部１２２に切り換えて接続し（ＳＴ１０９）、電波発信部１２１から救助用電波を発信させ（ＳＴ１１０）、付近にあって捜索を行っている携帯電話機１０３に携帯電話機１０２の位置を知らせて救助を待つ（ＳＴ１１１）。
【００５３】
携帯電話機１０２の付近にいた携帯電話機１０３の所有者は、携帯電話機１０２の所持者の遭難に気がつき、携帯電話機１０２を捜索するため、操作入力部１１６から救助用電波を受信する近距離通話モードに切り換える入力を行う（ＳＴ２０５）。
【００５４】
携帯電話機１０３の切り換え制御部１２６は、操作入力部１１６の入力に従ってアンテナ１１１を切り換え部１２７によって基地局通信部１１２から近距離通信部１１３の受信部１２３に切り換えて接続させ（ＳＴ２０６）、携帯電話機１０２が発信する救助用電波を受信部１２３に受信して電波の指向性及び電界強度を電界測定部１２４によって測定し（ＳＴ２０７）、表示部１２８に電波の指向性及び電界強度を表示する（ＳＴ２０８）。
【００５５】
携帯電話機１０３の所持者は、表示部１２８に表示された救助用電波の指向性、及び電界強度から携帯電話機１０２の位置を特定してその所持者を捜索する（ＳＴ２０９）。
【００５６】
ＳＴ１３１において、着信カウンタｉが着信回数閾値Ｃ以上になるまでにタイムカウンタｔが着信チェック時間Ｔ２を過ぎてしまうと（ＳＴ１３１；ＮＯ）、ＳＴ１２１に戻って、着信カウンタｉとタイムカウンタｔに「０」を設定してタイマ部１３４を再スタートさせ、タイムカウンタｔが再び着信チェック時間Ｔ２を過ぎるまで着信カウンタｉによって着信回数をカウントする（ＳＴ１２２、ＳＴ１２３；ＹＥＳ、ＳＴ１２４、ＳＴ１２５；ＮＯ、ＳＴ１３０、ＳＴ１３１；ＹＥＳ、ＳＴ１３２；ＮＯ）。
【００５７】
ＳＴ１０８において、携帯電話１０２の所持者が近距離通信モードを希望しないときは、操作入力部１１６からモード切り換え解除を入力すれば（ＳＴ１０８；ＹＥＳ）、近距離通信モードへの切り換えを解除し、ＳＴ１２１に戻って、着信カウンタｉとタイムカウンタｔに「０」を設定してタイマ部１３４を再スタートさせ、タイムカウンタｔが再び着信チェック時間Ｔ２を過ぎるまで着信カウンタｉによって着信回数をカウントする（ＳＴ１２２、ＳＴ１２３；ＹＥＳ、ＳＴ１２４、ＳＴ１２５；ＮＯ、ＳＴ１３０、ＳＴ１３１；ＹＥＳ、ＳＴ１３２；ＮＯ）。
【００５８】
以上、詳細に説明したように、一実施の形態によれば、携帯電話機１０２に、基地局通信部１１２の通信状況を分析する切り換え分析部１２５と、切り換え分析部１２５に従って切り換え部１２７を基地局通信部１１２から近距離通信部１１３に切り換えるよう制御する切り換え制御部１２６とを備え、切り換え分析部１２５の圏外時間測定部１３２によって測定した通信不能時間が圏外時間閾値Ｔ１を越えたとき、切り換え部１２７によってアンテナ１１１を近距離通信部１１３の送信部１２２に切り換えて接続して電波発信部１２１から救助用電波を発信させるので、携帯電話機１０２が基地局１０４の通信圏外にあるとき災害が発生して携帯電話機１０２の所持者が救助を求めている場合、付近にあって捜索を行っている携帯電話機１０３に携帯電話機１０２の位置を知らせることができる。
【００５９】
一実施の形態によれば、携帯電話機１０２に、基地局通信部１１２の通信状況を分析する切り換え分析部１２５と、切り換え分析部１２５に従って切り換え部１２７を基地局通信部１１２から近距離通信部１１３に切り換えるよう制御する切り換え制御部１２６とを備え、切り換え分析部１２５の着信回数カウント部１３３において着信チェック時間Ｔ２の間にカウントした着信回数が着信回数閾値Ｃ以上になったとき、切り換え部１２７によってアンテナ１１１を近距離通信部１１３の送信部１２２に切り換えて接続して電波発信部１２１から救助用電波を発信させるので、携帯電話機１０２が基地局１０４の通信圏内にあるとき災害が発生して携帯電話機１０２の所持者の意識がない、又は意識があってもけがなどによって動けない場合、付近にあって捜索を行っている携帯電話機１０３に携帯電話機１０２の位置を知らせることができる。
【００６０】
一実施の形態によれば、携帯電話機１０３に、操作入力部１１６と、操作入力部１１６からの入力に従ってアンテナ１１１を切り換え部１２７によって基地局通信部１１２から近距離通信部１１３に切り換えるよう制御する切り換え制御部１２６とを備え、操作入力部１１６から救助用電波を受信する近距離通話モードに切り換える入力が行われると、切り換え制御部１２６によって切り換え部１２７のアンテナ１１１を近距離通信部１１３の受信部１２３に切り換えて接続させるので、偶然に発生した災害によって付近にいた人が行方不明になったとき、携帯電話機１０２が発信する救助用電波を受信部１２３に受信して電界測定部１２３で電波の指向性及び電界強度を測定し、携帯電話機１０２を所持する遭難者の位置を速やかに特定することができる。
【００６１】
一実施の形態によれば、携帯電話機１０２が基地局１０４の通信圏内にあるとき災害が発生して携帯電話機１０２の所持者の所在が不明となり、携帯電話機１０３の所持者が携帯電話機１０２の所持者を捜索する場合、携帯電話機１０３の所持者が着信チェック時間Ｔ２の間に着信回数閾値Ｃ回以上携帯電話機１０２に電話すれば、携帯電話機１０２のアンテナ１１１から救助用電波を発信させることができるので、携帯電話機１０２の所持者の捜索を簡単に早く開始することができる。
【００６２】
一実施の形態によれば、携帯電話機１０２が基地局１０４の通信圏外にあるとき災害が発生して携帯電話機１０２の所持者の所在が不明となり、携帯電話機１０３の所持者が携帯電話機１０２の所持者を捜索する場合、携帯電話機１０２が操作入力部１１６から切り換え解除の入力を行わなければ、携帯電話機１０２のアンテナ１１１から救助用電波を発信させることができるので、携帯電話機１０２の所持者の捜索を簡単に早く開始することができる。
【００６３】
一実施の形態によれば、地震などの災害によって大きな被害が生じて基地局１０４又は交換機１０５などが壊れ、基地局１０４を介する通常の通信が実行できないような場合、携帯電話機１０２は基地局１０４の通信圏外であると同じ状態になるため、最悪の事態において、携帯電話機１０２のアンテナ１１１から救助用電波を発信させて、付近にある携帯電話機１０３に救助を求めることができるし、携帯電話機１０３は、救助用の電波を受信して、携帯電話機１０２の位置を特定して携帯電話機１０２の所持者を捜索して救出することができる。
【００６４】
一実施の形態によれば、地震などの災害によって突然、多くの携帯電話機１０２の所持者が行方不明になってしまったとき、意図的に基地局１０４の通信装置の電源を所定時間に切断して、携帯電話機１０２を強制的に通信圏外にすれば、電話番号が分からない多くの携帯電話器１０２を一斉に近距離通信モードに接続して救助用電波を発信させることができるので、災害発生時、偶然付近にいた電話番号が分からない多くの携帯電話機１０２の所持者を救出することができる。
【００６５】
一実施の形態によれば、基地局１０４に新たな機能追加を行うことなく、携帯電話機１０２及び携帯電話機１０３に近距離通信部１１３及びモード切り換え部１１４を設けるだけで携帯電話機１０２の捜索システムを構築できるので、捜索システムを構築するためのコストが安い。
【００６６】
一実施の形態によれば、日常多くの人が携帯している携帯電話機１０２及び携帯電話機１０３を災害救助のために利用しいているため、新たな装置を普及させる手間と装置を購入するコストを掛けずに、偶然に発生する災害に多くの人を対象として効果的に備えることができる。
【００６７】
一実施の形態によれば、基地局通信モードから近距離通信モードに切り換えるとき、通知部１１５によって携帯電話機１０２の所持者に通知し、携帯電話機１０２の所持者が切り換え解除を入力すれば、近距離通信モードに切り換わることなく基地局通信モードを維持するので、携帯電話機１０２がその所持者の意思に反して近距離通信モードに切り換わることはない。
【００６８】
尚、一実施の形態では、携帯電話機１０２を近距離通信モードに切り換えるため、捜索を行う携帯電話機１０３から電話をしたが、携帯電話機１０２を近距離通信モードに切り換えるための着信は携帯電話機１０３からの電話に限定されない。固定電話機１０７又は携帯電話機１０８から電話をしてもよいし、複数の別の電話機、又は交換局１０５などから電話を行うようにしてもよい。
【００６９】
尚、一実施の形態では、携帯電話機１０２が着信に応答した場合は着信回数としてカウントを行っていないが、応答した回数も着信回数に含めてもよい。
【００７０】
尚、一実施の形態では、着信回数閾値Ｃ、煙害時間閾値Ｔ１、及び着信チェック時間Ｔ２の値は予め与えられたものとしたが、着信回数閾値Ｃ、圏外時間閾値Ｔ１、及び着信チェック時間Ｔ２を操作入力部１１６から入力して携帯電話機１０２の所持者が設定できるようにしてもよい。
【産業上の利用可能性】
【００７１】
本発明に係る携帯通信装置は、多くの人が日常携帯する携帯通信装置を利用してできるだけコストを掛けず、偶然に発生した災害によって付近にいた人が行方不明になったとき、携帯通信装置を所持する遭難者の位置を速やかに特定することができるという効果を有し、基地局を介して無線通信を行うと共に近距離にある他の携帯通信装置と直接電波の送受信を行う機能を備えた携帯通信装置に関し、特に、予期せぬ災害に遭遇したとき、遭難者の所持する携帯通信装置から救助用電波を発信させ、近距離にある他の携帯通信装置でそれを受信して遭難者の位置を特定する携帯通信装置に有効である。
【図面の簡単な説明】
【００７２】
【図１】本発明の一実施の形態に係る携帯電話機を用いた捜索システムの全体構成を示す図
【図２】本発明の一実施の形態に係る携帯電話機の構成を示す機能ブロック図
【図３】本発明の一実施の形態に係る携帯電話機の切り換え分析部の構成を示すブロック図
【図４】本発明の一実施の形態に係る携帯電話機を用いた捜索システムの動作を説明するフロー図
【図５】本発明の一実施の形態に係る携帯電話機を用いた捜索システムの動作を説明するフロー図
【図６】従来のビーコンを用いて遭難者を捜索する動作を説明するフロー図
【図７】従来のビーコンを用いた位置探索システムを示す図
【図８】従来の携帯電話機を用いた移動通信方式の構成を示す機能ブロック図
【符号の説明】
【００７３】
１１  遭難者のベルト
１２  被探査局
１３  探査局
１４  探査電波
１５  応答電波
１６、１７  アンテナ
２１  指向性セクタ
２２  アンテナ
２３  基地局
２４  モード切り換え
２５  鳴動制御
２６  自動発信
２７  自動着信
２８  携帯電話機
１０１  捜索システム
１０２、１０３、１０８  携帯電話機
１０４  基地局
１０５  交換局
１０６  公衆回線網
１０７  固定電話機
１１１  アンテナ
１１２  基地局通信部
１１３  近距離通信部
１１４  モード切り換え部
１１５  通知部
１１６  操作入力部
１１７  制御部
１２１  電波発信部
１２２  送信部
１２３  受信部
１２４  電界測定部
１２５  切り換え分析部
１２６  切り換え制御部
１２７  切り換え部
１２８  表示部
１２９  スピーカ
１３０  駆動部
１３１  通信圏判定部
１３２  圏外時間測定部
１３３  着信回数カウント部
１３４  タイマ部
１３５  メモリ部
【図１】
2007104506.tif 000003
【図２】
2007104506.tif 000004
【図３】
2007104506.tif 000005
【図４】
2007104506.tif 000006
【図５】
2007104506.tif 000007
【図６】
2007104506.tif 000008
【図７】
2007104506.tif 000009
【図８】
2007104506.tif 000010